(57)【特許請求の範囲】
【請求項１】
所定のＩＤ要求信号に応答して認証用ＩＤを発信するパッシブモード出力手段を備えた携帯機と、
携帯機にＩＤ要求信号を出力し、携帯機から受信した認証用ＩＤに対する認証成立時に常時施錠状態の扉を所定時間解錠状態に移行させる扉制御装置とを有する扉制御システムであって、
前記携帯機には、施解錠操作部への操作により認証用ＩＤを発信するアクティブモード出力手段が設けられるとともに、
扉制御装置には、認証成立後所定時間内に同一携帯機によるアクティブモード出力手段からの認証用ＩＤを検出した際に解錠状態の保持時間を延長する延長手段が設けられる扉制御システム。
【請求項２】
前記扉制御装置は、施解錠操作部への解錠操作により解錠状態の保持時間を延長し、
施錠操作により保持時間延長をキャンセル可能な請求項１記載の扉制御システム。
【発明の詳細な説明】
【技術分野】
【０００１】
本発明は、扉制御システムに関するものである。
【背景技術】
【０００２】
利用者の所持するカード型の鍵（携帯機）が出力する認証用ＩＤの認証を条件にドアを解錠する扉制御システムとしては、特許文献１に記載のものが知られている。この従来例において、扉制御システムの錠ユニット（扉制御装置）は携帯機の認証用ＩＤを認証すると、電気錠を解錠してドアが開放される。
【特許文献１】特開平１０-２４６０４３号公報
【発明の開示】
【発明が解決しようとする課題】
【０００３】
しかし、上述した従来例において、携帯機は電気錠、あるいはドアの開放装置の開放操作を開始させるためにのみ機能し、開放されたドアの開放状態を保持する機能はないために、例えば、エントランスからの荷物の出し入れ等、予め設定されたドアの開放時間を超えてドアの開放状態を維持する必要がある作業を行う場合には不便であるという欠点がある。
【０００４】
本発明は、以上の欠点を解消すべくなされたものであって、所望により解錠状態を延長することができるようにして使い勝手を高めた扉制御システムを提供することを目的とする。
【課題を解決するための手段】
【０００５】
本発明によれば上記目的は、
所定のＩＤ要求信号に応答して認証用ＩＤを発信するパッシブモード出力手段１を備えた携帯機２と、
携帯機２にＩＤ要求信号を出力し、携帯機２から受信した認証用ＩＤに対する認証成立時に常時施錠状態の扉を所定時間解錠状態に移行させる扉制御装置３とを有する扉制御システムであって、
前記携帯機２には、施解錠操作部４への操作により認証用ＩＤを発信するアクティブモード出力手段５が設けられるとともに、
扉制御装置３には、認証成立後所定時間内に同一携帯機２によるアクティブモード出力手段５からの認証用ＩＤを検出した際に解錠状態の保持時間を延長する延長手段６が設けられる扉制御システムを提供することにより達成される。
【０００６】
扉制御システムは、携帯機２からの認証用ＩＤを認証した扉制御装置３が常時施錠状態の扉を所定時間解錠状態に移行させるように構成される。ここで施錠状態とは、デッドボルト等の施錠体により扉の操作がブロックされる場合に加え、スライド式自動ドアの閉扉状態のように実質的にドアの開放が困難な状態も含まれる。
【０００７】
携帯機２はパッシブモード出力手段１とアクティブモード出力手段５とを備え、パッシブモード出力手段１は、扉制御装置３からのＩＤ要求信号に対して認証用ＩＤを応答信号として出力する。これに対し、アクティブモード出力手段５は、利用者の携帯機２に設けられた施解錠操作部４への操作があった場合にのみ認証用ＩＤを出力する。
【０００８】
扉制御装置３が、例えば集合住宅のエントランス等への入り口の扉の開閉制御に使用される場合、携帯機２を所持した居住者に対する扉の開閉は、パッシブモードによるＩＤ交信により行われ、携帯機２から出力される認証用ＩＤが扉制御装置３において認証されると、扉が開放され、所定時間後閉扉される。扉制御装置３からのＩＤ要求信号は、常時出力する以外に、人体検知センサによる検知、あるいは利用者による要求信号出力用のボタン押下等をトリガにして出力することができる。
【０００９】
また、扉制御装置３には延長手段６が設けられる。延長手段６は、解錠操作が行われた後、所定時間内に携帯機２からアクティブモードによる認証用ＩＤが出力された際に、自動施錠時間を遅らせるように動作し、自動扉の場合でいえば、扉の開放時間を延ばす。
【００１０】
したがってこの発明において、一旦パッシブモードで解錠された扉の解錠時間を必要に応じて延長することができる。この結果、荷物の搬入、搬出等、比較的時間のかかる作業を行う場合でも、携帯機２所持者がパッシブモードによる交信可能な場所に留まって開扉状態を維持したり、あるいは管理者に自動施錠を停止させてもらう等の必要がなくなり、使い勝手が向上する。
【００１１】
また、携帯機２に付加されたアクティブモード出力手段５は、集合住宅等における各戸での強制施解錠操作に使用することができるために、より使い勝手が向上する。
【発明の効果】
【００１２】
本発明によれば、所望により解錠状態を延長することができるために、使い勝手を向上させることができる。
【発明を実施するための最良の形態】
【００１３】
図１に集合住宅のエントランス部の自動扉７を開閉制御するために構成された本発明の実施の形態を示す。扉制御システムは、扉制御装置３と、扉制御装置３を遠隔操作するための携帯機２を使用して運用される。
【００１４】
扉制御装置３は、携帯機２との交信を行うために、制御部３ａの制御下で動作する送受信部３ｂ、センサー部８およびリクエストコード生成部９を備える。センサー部８は人体センサーであり、人体を検出すると検出信号をバスライン３ｃに出力する。リクエストコード生成部９は、センサー部８からの人体検出信号の出力を検出した制御部３ａにより活性化され、携帯機２に向けたＩＤ要求信号を生成してバスライン３ｃに出力する。
【００１５】
送受信部３ｂは、上記リクエストコード生成部９において生成されたＩＤ要求信号を携帯機２に向けて発信し、さらに、携帯機２から送信される認証要求信号を受信する。
【００１６】
また、上記制御部３ａには扉制御信号出力部１０と延長手段６とが接続される。扉制御信号出力部１０は、自動扉７を常時閉扉状態に維持するように動作する自動扉制御部１１に予め設定された所定時間、開扉信号を供給し、自動扉７を開放する。延長手段６は、延長タイマーを使用して開扉信号の供給時間を延長させ、上記扉制御信号出力部１０に設定された開扉信号出力時間を延長させる。
【００１７】
上記扉制御信号出力部１０、あるいは延長手段６への開扉信号のセットを決定するために、認証部１２が接続される。認証部１２は、上記携帯機２からの認証要求信号に含まれる認証用ＩＤがＩＤ記憶部１３内に存在するか否かを検索し、認証用ＩＤが検索された場合には認証成立信号を、検索されない場合は認証拒絶信号をバスライン３ｃに出力する。認証成立信号を受領した制御部３ａは上記扉制御信号出力部１０、あるいは延長手段６に開扉信号をセットし、自動扉７を開扉させる。
【００１８】
なお、上記制御部３ａ、認証部１２等、および後述する携帯機２の各構成要素は、所定のプログラムにより動作するＣＰＵにより制御されるマイコンセット中のメモリ空間内に構成することが可能である。
【００１９】
一方、携帯機２には、制御部２ａにより制御されるパッシブモード出力手段１と、アクティブモード出力手段５が構成される。パッシブモード出力手段１は、バスライン２ｃに接続される送受信部２ｂとパッシブ信号生成部１４とから構成され、パッシブ信号生成部１４が上記扉制御装置３からのＩＤ要求信号を受信すると、ＩＤ記憶部１３内に格納された携帯機２固有の認証用ＩＤを含む応答信号を生成し、送受信部２ｂから発信する。
【００２０】
これに対し、アクティブモード出力手段５は、上記送受信部２ｂ、アクティブ信号生成部１５、解錠ボタン操作部４Ａ、および施錠ボタン操作部４Ｂ（施解錠操作部４）からなる。このアクティブモード出力手段５は、上述したパッシブモード出力手段１がＩＤ要求信号の受信により応答信号を自動的に生成、発信するのに対し、利用者が携帯機２に配置された解錠ボタン、あるいは施錠ボタンへの操作により携帯機２への信号を出力する。
【００２１】
アクティブモード出力手段５による信号出力は、アクティブ信号生成部１５が解錠ボタン、あるいは施錠ボタンの押下を解錠ボタン操作部４Ａ、あるいは施錠ボタン操作部４Ｂの状態変化で検知すると、ＩＤ記憶部１６内の認証用ＩＤと、施解錠いずれかのボタンが押下されたことを示す種別コードを含む認証要求信号を生成し、送受信部２ｂから出力することにより行われる。
【００２２】
図２に以上のように構成される扉制御システムの動作フローを示す。扉制御装置３の制御部３ａは、センサー部８の出力を常時監視しており（ステップＳ１）、人体を検知してセンサー部８が”ＯＮ”となると、リクエストコード生成部９はＩＤ要求信号を生成する。生成されたＩＤ要求信号は、送受信部３ｂ、アンテナを経由して発信され（ステップＳ２）、その後、このＩＤ要求信号に対する応答信号を待ち受ける（ステップＳ３）。
【００２３】
センサー部８により検知された人が携帯機２を所持していると、当該携帯機２はパッシブモード出力手段１により応答信号を出力し、これを扉制御装置３が受信すると、応答信号内の認証用ＩＤを一時記憶領域に記憶し（ステップＳ４）、認証部１２において当該認証用ＩＤを認証する（ステップＳ５）。
【００２４】
認証部１２における認証が成立すると、扉制御信号出力部１０は開扉信号を出力し（ステップＳ６）、次いで、延長手段６による開扉時間の延長操作のためのタイムリミットを設定するためにタイマーによる計時が開始する（ステップＳ７）。計時開始とともに、制御部３ａは携帯機２からのアクティブ出力を待ち受け（ステップＳ８）、利用者が所定時間内に携帯機２のアクティブモード出力手段５を利用したコード送信を行わなかった場合（ステップＳ９）、扉制御信号出力部１０から自動扉制御部１１への開扉信号の供給が停止され（ストップＳ１０）、自動扉７が閉じる。
【００２５】
上記タイマーの計時中にアクティブ出力を受信しなかった場合が通常の自動扉７の動作であり、制御部３ａがステップＳ８でアクティブ出力を受信すると、アクティブ出力時の信号に含まれる認証用ＩＤを一時記憶領域内に記憶された認証用ＩＤと比較する（ステップＳ８-１）。
【００２６】
ステップＳ８-１で一致がとれると、延長タイマーによる計時が開始される（ステップＳ８-２）。閉扉時間の延長はこの延長タイマーにより決定され、延長タイマーがタイムアップすると（ステップＳ８-７）、ステップＳ１０が実行されて自動扉７が閉扉する。
【００２７】
制御部３ａは、延長タイマーにより決定される延長時間の利用者による調整操作を検知するために、さらにアクティブ出力の送信を監視する（ステップＳ８-３）。このステップでアクティブ出力が観察されると、アクティブ出力時の信号に含まれる認証用ＩＤを一時記憶領域内に記憶された認証用ＩＤと比較し（ステップＳ８-４）、一致が確認できないときはそのまま延長タイマーを動作させる。
【００２８】
これに対し、認証用ＩＤの一致がとれると、信号中の種別コードを識別し（ステップＳ８-５、Ｓ８-６）、解錠コードの場合には延長タイマーをセットし直して延長時間をさらに延長させ、施錠コードの場合には、延長タイマーのタイムアップを待つことなくステップＳ１０を実行し、自動扉７を閉じる。
【００２９】
なお、以上においては、自動扉７の開閉制御を例にとって本発明を説明したが、電気錠のデッドボルト等を操作する制御装置として構成することも可能であり、この場合、扉制御出力部は、電気錠に対するドライブ信号を生成、出力する。
【図面の簡単な説明】
【００３０】
【図１】本発明を示す機能ブロック図である。
【図２】扉制御装置の動作を示すフローチャートである。
【符号の説明】
【００３１】
１        パッシブモード出力手段
２        携帯機
３        扉制御装置
４        施解錠操作部
５        アクティブモード出力手段
６        延長手段
【図１】
0004573754.tif 000002
【図２】
0004573754.tif 000003